(57)【要約】【課題】スロットマシンにおいてリールを容易に着脱できるようにするとともに、表示窓部から内部を覗かれることがなく、また、目押しを妨害しないようにする。【解決手段】リールユニット２００をリールユニット収容部材１０１内に収容された収容位置と前方に位置する着脱位置とに変換可能とする。また、収容位置ではリール本体２０２の前端部がリールユニット収容部材１０１の前端部より前方に突出するようにし、表示窓部５との間隔を狭くして目押しを妨害しないようにするとともに、表示窓部５から内部を覗かれることを防止する。また、着脱位置では固定手段（リールロック２２１）による固定を解除して、駆動軸２２０の延在方向に移動し、間隙部２２２の幅内で隣接するリールユニット２００と重ならない位置に移動することでリール本体２０２を取り外し可能とし、表示窓部５との間隔が狭くなるようにした場合でもリール本体２０２の交換を容易にする。【選択図】図１６
2007159954.tif 000002
【特許請求の範囲】
【請求項１】
筐体内に設けられ前側に開口した収容空間を有する箱状のリールユニット収容部材と、前記リールユニット収容部材に複数配したリールユニットと、を有する変動表示装置を備え、
前記変動表示装置のリールユニットは、各種部材を取り付けるベースとなるリール支持板と、複数の識別情報が外周面に表示されたリール本体と、前記リール支持板に設けられ前記リール本体を回動させる駆動源と、前記リール本体の回動位相を検出するリール位置検出手段と、前記駆動源の駆動軸に前記リール本体を着脱可能に取り付ける固定手段と、から構成し、
前記リールユニット収容部材に対して前記複数のリールユニットを、前記駆動軸の延在方向に沿って所定幅の間隙部をおいて配したスロットマシンにおいて、
前記リール位置検出手段は、
前記リール支持板に設けられ前記リール本体の径方向に沿って所定の間隔をおいて対向する検出部を有するリール位置検出センサと、
前記リール本体に設けられ前記リール位置検出センサによって検出されるリール位置検出片と、から構成し、
前記リールユニットは、前記リール支持板が前記リールユニット収容部材の前方下端部に回動可能に軸着されて、前記リールユニット収容部材内に収容された収容位置と、前記リールユニット収容部材の前方に位置する着脱位置とに回動変換可能であって、
前記収容位置では、前記リール本体の前端部が前記リールユニット収容部材の前端部よりも前方に突出した位置に配されるとともに、前記間隙部に前面側を覆う仕切板が配され、
前記着脱位置では、前記固定手段による前記リール本体の固定を解除し、前記間隙部の幅内で前記リール本体を前記駆動軸の延在方向に移動することにより、該リール本体を前記駆動軸から取り外すとともに、前記リール位置検出片を前記リール位置検出センサの検出部の検出可能位置から取り外し、その後、該リール本体を隣接するリールユニットと重ならない位置まで移動することで前記リール本体を取り外し可能に構成したことを特徴とするスロットマシン。
【請求項２】
前記リール本体は中心から放射状に形成された補強部材を有し、
前記リール位置検出手段は、前記リール本体の回動位相を検出することで前記補強部材の位置を検出可能であり、
前記リール本体の取り外し時に、前記リール位置検出手段からの情報に基づき、前記リール支持板上の部材と前記補強部材とが重ならない位置に前記リール本体を所定角度回動させるリール位置変更手段を備えることを特徴とする請求項１に記載のスロットマシン。
【請求項３】
前記リール支持板に隣接して、内部に配線を挿通可能な空間部を備える仕切壁を配設したことを特徴とする請求項１または２に記載のスロットマシン。
【発明の詳細な説明】
【技術分野】
【０００１】
本発明は、スロットマシンに関する。
【背景技術】
【０００２】
従来の遊技機、例えばスロットマシンには、正面側に開口する筺形の本体枠と、本体枠の開口部を開閉自在に塞ぐ前面扉とから成り、本体枠の内部に、リールユニット、ホッパーユニット、遊技を司る基板等が固定設置され、全体が構成されていた。
このような、従来のスロットマシンにおいては、遊技内容を変更する際には本体枠まるごと交換しなければならなく、遊技内容の変更に直接関係しないホッパーユニット等も同時に交換されることとなり、交換に要する費用がかかるだけでなく、資源の無駄となっていたという問題点があった。
【０００３】
そこで、遊技内容の変更に関わるリールユニット等のみを交換するように構成し、交換作業の軽減と費用の削減、資源の有効利用の観点から、遊技内容変更に最低限必要な構成部品のみ交換可能に形成した分離型スロットマシンが考案されている（例えば、特許文献１参照）。
【０００４】
ところで、リールユニットには、複数の識別情報（図柄）が記されたリールを複数列に配設したものが知られており、この種のリールは、スロットマシンの本体枠の内部にリール支持板を固定し、このリール支持板に対して、リールと該リールを回動自在に駆動させるための駆動モータ等が取り付けられている。
【０００５】
上記特許文献１のスロットマシンは、リールユニット及び主基板を交換ユニットとして一体的に本体枠から着脱自在に形成してあるが、交換部分に占めるリールユニットの容量、重量が大きいにもかかわらず、リールユニットで実質的に交換が必要なのは、複数の識別情報が付記されたリールのみであり、改善が求められていた。
【０００６】
そこで、リール支持板を回動可能に構成し、リール支持板を前方に回動させた状態でリール支持板からリールを着脱可能に構成することで、個々のリールのみを個別に交換可能なリールユニットを有するスロットマシンが考案された（例えば、特許文献２参照）。
【特許文献１】特開２００３−４７６８６号公報
【特許文献２】特開２００５−１３０８７２号公報（図６、図９、図１０）
【発明の開示】
【発明が解決しようとする課題】
【０００７】
しかしながら、上記特許文献２の図６のように、リール支持板の回動範囲に制限を設けないように構成すると、本体枠の内部に設けた電源ユニットやホッパー等にリールが衝突して破損してしまうという問題があるため、図１０のようにストッパーを設けてリール支持板の回動が一定の箇所で停止するように構成している。
【０００８】
しかし、ストッパーを設けてリール支持板の回動範囲に規制を設けてしまうと、リール支持板からリールを取り外す場合に、他のリール支持板やリールが邪魔をして、リールをリール支持板から取り外すことができなくなってしまう。例えば、特許文献２の図３に記載されているように、中リールをリール支持板から横方向に取り外そうとした場合、右リールのうちユニット枠よりも前方に突出した部分に中リールの後方部分が当接してしまって、取り外すことができない。
【０００９】
そのため、特許文献２では、図１０に記載されているように各リールをユニット枠内に全て収まるように構成して上記問題を解決しようとしている。
しかし、このような解決方法では、前面扉とリールとの間に大きな間隔が発生してしまい、前面扉に設けた表示窓部から内部を覗かれてしまうという不都合や、表示窓部から視認できるリールの面積が大きくなってしまい、遊技者の視界に余計な図柄等が入って、それらが図柄の目押しの邪魔になってしまうという問題が発生してしまう。
【００１０】
本発明の課題は、スロットマシンにおいて、リールを容易に着脱できるようにするとともに、表示窓部から遊技者に内部を覗かれることがなく、また、遊技者の目押しを妨害することがないようにすることである。
【課題を解決するための手段】
【００１１】
以上の課題を解決するため、請求項１に記載の発明は、筐体内に設けられ前側に開口した収容空間を有する箱状のリールユニット収容部材と、前記リールユニット収容部材に複数配したリールユニットと、を有する変動表示装置を備え、
前記変動表示装置のリールユニットは、各種部材を取り付けるベースとなるリール支持板と、複数の識別情報が外周面に表示されたリール本体と、前記リール支持板に設けられ前記リール本体を回動させる駆動源と、前記リール本体の回動位相を検出するリール位置検出手段と、前記駆動源の駆動軸に前記リール本体を着脱可能に取り付ける固定手段と、から構成し、
前記リールユニット収容部材に対して前記複数のリールユニットを、前記駆動軸の延在方向に沿って所定幅の間隙部をおいて配したスロットマシンにおいて、
前記リール位置検出手段は、
前記リール支持板に設けられ前記リール本体の径方向に沿って所定の間隔をおいて対向する検出部を有するリール位置検出センサと、
前記リール本体に設けられ前記リール位置検出センサによって検出されるリール位置検出片と、から構成し、
前記リールユニットは、前記リール支持板が前記リールユニット収容部材の前方下端部に回動可能に軸着されて、前記リールユニット収容部材内に収容された収容位置と、前記リールユニット収容部材の前方に位置する着脱位置とに回動変換可能であって、
前記収容位置では、前記リール本体の前端部が前記リールユニット収容部材の前端部よりも前方に突出した位置に配されるとともに、前記間隙部に前面側を覆う仕切板が配され、
前記着脱位置では、前記固定手段による前記リール本体の固定を解除し、前記間隙部の幅内で前記リール本体を前記駆動軸の延在方向に移動することにより、該リール本体を前記駆動軸から取り外すとともに、前記リール位置検出片を前記リール位置検出センサの検出部の検出可能位置から取り外し、その後、該リール本体を隣接するリールユニットと重ならない位置まで移動することで前記リール本体を取り外し可能に構成したことを特徴とする。
【００１２】
ここで、「駆動源」とは、例えば、モータ（ステッピングモータ）である。
【００１３】
請求項１に記載の発明によれば、リールユニットは、リールユニット収容部材内に収容された収容位置と、リールユニット収容部材の前方に位置する着脱位置とに回動変換可能であるので、容易にリール本体の着脱作業を行うことができる。
また、収容位置では該リール本体の前端部がリールユニット収容部材の前端部よりも前方に突出した位置に配されるので、遊技機の前面をなす前面枠に形成された表示窓部とリール本体との間隔を狭くすることができ、表示窓部の前面側から視認できるリール本体の面積が不必要に大きくなる（視認可能な図柄の数が多くなる）ことを防止でき、遊技者の目押しを妨害することを防止することができる。
また、前面枠の表示窓部とリール本体との間隔を狭くすることにより、表示窓部から遊技者に内部を覗かれることを防止できる。
また、収容位置では、間隙部に前面側を覆う仕切板が配されるので、各リール本体の間に形成される間隙部を埋めることができ、遊技機の内部を表示窓部から遊技者に内部を覗かれることを防止できる。
【００１４】
また、着脱位置では、固定手段によるリール本体の固定を解除し、前記間隙部の幅内で前記リール本体を駆動軸の延在方向に移動することにより、該リール本体を前記駆動軸から取り外すとともに、前記リール位置検出片を前記リール位置検出センサの検出部の検出可能位置から取り外し、その後、該リール本体を隣接するリールユニットと重ならない位置まで移動することで前記リール本体を取り外し可能としたので、前面枠の表示窓部とリール本体との間隔を狭めるようにリール本体の前方をリールユニット収容部材から突出させる状態で配設した場合であっても、容易にリール本体のみを交換することができ、リール本体の交換を行う場合の作業効率を高めることができる。
【００１５】
請求項２に記載の発明は、請求項１に記載のスロットマシンであって、前記リール本体は中心から放射状に形成された補強部材を有し、
前記リール位置検出手段は、前記リール本体の回動位相を検出することで前記補強部材の位置を検出可能であり、
前記リール本体の取り外し時に、前記リール位置検出手段からの情報に基づき、前記リール支持板上の部材と前記補強部材とが重ならない位置に前記リール本体を所定角度回動させるリール位置変更手段を備えることを特徴とする。
【００１６】
ここで、「リール支持板上の部材」とは、例えば、リール本体を裏面側から照らす照明手段である。
【００１７】
請求項２に記載の発明によれば、リール本体の取り外し時に、リール位置検出手段からの情報に基づき、リール支持板に配された部材と補強部材とが重ならないようにリール本体を所定角度回動させるリール位置変更手段を備えるので、リール本体を取り外す場合に、リール支持板に配設した各部材にリール本体が引っかかることを防止することができ、リール本体の交換作業の効率を高めることができる。
また、リール本体の着脱持に、リール支持板上に配された部材に対して補強部材が最適な位置に移動するようにでき、リール支持板上に配する部材の位置や大きさの自由度が増す。
【００１８】
請求項３に記載の発明は、請求項１または２に記載のスロットマシンであって、前記リール支持板に隣接して、内部に配線を挿通可能な空間部を備える仕切壁を配設したことを特徴とする。
【００１９】
請求項３に記載の発明によれば、リール支持板に隣接して、内部に配線を挿通可能な空間部を備える仕切壁を配設したので、リール本体の交換などの際に、リールユニットを前方に回動させても配線が絡みつくことがなく、かつ、配線を整然と処理することができる。
【発明の効果】
【００２０】
本発明によれば、リールユニットは、リールユニット収容部材内に収容された収容位置と、リールユニット収容部材の前方に位置する着脱位置とに回動変換可能であるので、容易にリール本体の着脱作業を行うことができる。
また、収容位置では該リール本体の前端部がリールユニット収容部材の前端部よりも前方に突出した位置に配されるので、遊技機の前面をなす前面枠に形成された表示窓部とリールとの間隔を狭くすることができ、遊技者の目押しを妨害することを防止できるとともに、表示窓部から遊技者に内部を覗かれることを防止できる。
また、収容位置では、間隙部に前面側を覆う仕切板が配されるので、各リールの間に形成される間隙部を埋めることができ、リールユニットの内部を表示窓部から遊技者に内部を覗かれることを防止できる。
また、着脱位置では、固定手段によるリール本体の固定を解除し、間隙部の幅内でリール本体を駆動軸の延在方向に移動することにより、該リール本体を駆動軸から取り外すとともに、リール位置検出片をリール位置検出センサの検出部の検出可能位置から取り外し、その後、該リール本体を隣接するリールユニットと重ならない位置まで移動することでリール本体を取り外し可能としたので、前面枠の表示窓部とリール本体との間隔を狭めるようにリール本体の前方をリールユニット収容部材から突出させる状態で配設した場合であっても、容易にリール本体のみを交換することができ、リール本体の交換を行う場合の作業効率を高めることができる。
【発明を実施するための最良の形態】
【００２１】
以下、図面を参照して、本発明の実施形態について説明する。
本実施形態は、本発明に係るスロットマシンの適例としてのパチスロ遊技機について説明を行うものである。
【００２２】
図１，２に示すように、スロットマシンとしてのパチスロ遊技機１は、前面が開放した箱形の機枠３（筐体）の内部に各種の機器が設けられるとともに、この機枠３の前面に、前面枠２が、片開き形式に開閉可能に設けられることで概略構成されている。
【００２３】
箱型の機枠３の内部には載置棚４が形成されていて、この載置棚４上に変動表示装置１００が備えられている。また、この載置棚４の下側の空間には、電源ユニット２６と確率設定装置５７が備えられている。また、前面枠２の前面の上部中央には、後方を透視可能な（例えば透明の）表示窓部５が形成され、この表示窓部５を透して変動表示装置１００を視認可能となっている。変動表示装置１００の詳細な構成については後述するが、この変動表示装置１００は、複数の識別図柄（図示略）が外周面に表示された円筒形のリール本体２０２を回動可能に保持するリールユニット２００が、左右方向に沿って複数（例えば、３つ）配されたものである。
【００２４】
各リールユニット２００は、それぞれ同じ構成を有するものであるが、その配設位置によって、前面側から見て左側に配されたリールユニット２００が第１リールユニット２００ａとされ、中央に配されたリールユニット２００が第２リールユニット２００ｂ、右側に配されたリールユニット２００が第３リールユニット２００ｃとされている。また、これに対応して、第１リールユニット２００ａに配されたリール本体２０２、リール用モータ２０３が、第１リール本体２０２ａ、第１リール用モータ２０３ａとされ、第２リールユニット２００ｂに配されたリール本体２０２、リール用モータ２０３が第２リール本体２０２ｂ、第２リール用モータ２０３ｂ、第３リールユニット２００ｃに配されたリール本体２０２、リール用モータ２０３が第３リール本体２０２ｃ、第３リール用モータ２０３ｃとされている。
【００２５】
そして、各リール本体２０２ａ，２０２ｂ，２０２ｃは、各々の図柄列中の図柄のうち、連続する所定数（例えば、３つ）の図柄が表示窓部５を介して視認可能となるように配置されていて、図柄の変動表示を行う変動表示部６を構成している。なお、第１リール本体２０２ａとこれを回転させる第１リール用モータ２０３ａ（図３）とが第１変動表示手段となり、第２リール本体２０２ｂとこれを回転させる第２リール用モータ２０３ｂ（図３）とが第２変動表示手段となり、第３リール本体２０２ｃとこれを回転させる第３リール用モータ２０３ｃ（図３）とが第３変動表示手段となる。すなわち、変動表示部６には、複数の変動表示手段として、第１〜第３までの三つの変動表示手段がある。
【００２６】
各リール用モータ２０３ａ，２０３ｂ，２０３ｃは、それぞれステッピングモータ等から構成され、各々、後述する遊技制御装置５０の制御下で作動し、対応するリール本体２０２ａ，２０２ｂ，２０２ｃをそれぞれ独立に、軸周りに回転駆動ならびに回転停止させることが可能となっている。そして、各リール用モータ２０３ａ，２０３ｂ，２０３ｃが、対応するリール本体２０２ａ，２０２ｂ，２０２ｃを各々独立に回転駆動させることで、複数種類の図柄を表示窓部５奥にて、例えば上から下へと循環するよう高速で移動させる（図柄を変動表示させる）ようになっている。さらに、変動表示の開始後、（後述するリールストップボタン１４ａ、１４ｂ、１４ｃの停止操作に基づき）各リール用モータ２０３ａ，２０３ｂ，２０３ｃによりリール本体２０２ａ，２０２ｂ，２０２ｃの全てを停止させることで、上下に３列、横に３列で、都合９つの図柄を変動表示部６にて停止状態で表示する停止表示を行うようになっている。
【００２７】
ここで、変動表示部６には、複数の有効化可能ラインが設定されている。
即ち、例えば、変動表示部６における各リール本体２０２ａ，２０２ｂ，２０２ｃ中段の図柄を横切る有効化可能ライン（中段横ライン）、変動表示部６における各リール本体２０２ａ，２０２ｂ，２０２ｃ上段の図柄を横切る有効化可能ライン（上段横ライン）、変動表示部６における各リール本体２０２ａ，２０２ｂ，２０２ｃ下段の図柄を横切る有効化可能ライン（下段横ライン）、変動表示部６において第１リール本体２０２ａ下段−第２リール本体２０２ｂ中段−第３リール本体２０２ｃ上段にかけて各リール本体を斜めに横切る有効化可能ライン（右上がりの斜めライン）、及び、変動表示部６において第１リール本体２０２ａ上段−第２リール本体２０ｂ中段−第３リール本体２０２ｃ下段にかけて各リール本体を斜めに横切る有効化可能ライン（右下がりの斜めライン）の都合５つの有効化可能ラインが設定されている。
【００２８】
そして、ベット数に応じて所定数の有効化可能ラインが有効化されて各々有効ラインとなるようになっているが、この有効ライン上に、複数種類設定された入賞のうち何れかに対応する図柄組合せ態様で図柄が停止表示することにより入賞結果態様が成立し、各入賞結果態様に対応した所定数の遊技媒体（遊技価値）が付与されるようになっている。また、特にビックボーナス（ＢＢ）図柄（例えば「７」）が有効ライン上に並んだ場合には、ＢＢ入賞が成立し、レギュラーボーナス（ＲＢ）図柄（例えば「ＢＡＲ」）が有効ライン上に並んだ場合には、ＲＢ入賞が成立する。このＢＢ，ＲＢ入賞（いわゆる大当たり）があった際には、容易に多量の遊技価値を獲得可能なボーナスゲームを実行可能となる。
【００２９】
また、前面枠２前面において、表示窓部５の下方片側には、１ゲームを開始するスタート操作を行うためのスタートレバー１３が設けられている。さらに、前面枠２前面において、表示窓部５の下方には、第１リール本体２０２ａ、第２リール本体２０２ｂ、および、第３リール本体２０２ｃとそれぞれ１対１で対応付けられ、対応するリール本体２０２ａ，２０２ｂ，２０２ｃの回転をそれぞれ停止させて図柄を停止表示させるためのストップボタン、即ち、第１リールストップボタン１４ａ、第２リールストップボタン１４ｂ、および、第３リールストップボタン１４ｃが設けられている。なお、これらリールストップボタン１４ａ，１４ｂ，１４ｃは、例えば、色付きの半透明の樹脂などから構成されている。そして、これらリールストップボタン１４ａ，１４ｂ，１４ｃの奥には、該リールストップボタン１４ａ，１４ｂ，１４ｃの操作により各リール本体２０２ａ，２０２ｂ，２０２ｃを停止可能な状態であることを、点灯により報知するためのストップボタンランプがそれぞれ設けられている。
【００３０】
前面枠２の前面側から見て、表示窓部５の左側に設けられたベットライン表示部３１は、その奥に配されたランプを有し、これらランプの点灯状態によりメダルのベット数を表示するとともに、ベット数に対応する有効ラインを指示するものである。
【００３１】
また、前面枠２の前面側から見て、表示窓部５の右側には、遊技状態表示部として、ＧＡＭＥＯＶＥＲランプ部３３、ＷＡＩＴランプ部３４、ＲＥＰＬＡＹランプ部３５、ＢＥＴＣＲＥＤＩＴランプ部３６が設けられている。ＧＡＭＥＯＶＥＲランプ部３３は、図柄の変動表示が停止されて1回のゲームが終了したことをその奥に配されたランプの点灯によって報知するものである。ＷＡＩＴランプ部３４の奥にはランプが配されており、このランプが、スタートレバー１３が操作されてから全てのリール本体２０２ａ，２０２ｂ，２０２ｃが回転開始し、リールストップボタン１４ａ、１４ｂ、１４ｃによる停止操作が可能となるまでの期間に点灯することで、該期間中であることを報知するようになっている。ＲＥＰＬＡＹランプ部３５は、リプレイ入賞の入賞結果態様が成立して次回遊技がリプレイになったことをその奥に配されたランプの点灯によって報知するものである。ＢＥＴＣＲＥＤＩＴランプ部３６は、遊技が行われておらず、しかもベット或いは後述するように持ちクレジットからクレジットを受け入れ可能な状態のときに、その奥に配されたランプが点滅を繰り返すものである。
【００３２】
前面枠２の前面側から見て、表示窓部５の下側には、クレジット数表示部７、払出クレジット数表示部８、遊技進行表示部１１が設けられている。
クレジット数表示部７は、その奥に配された、例えば、７セグメントのＬＥＤからなるクレジット数表示器を有し、クレジット数表示器の点灯状態により、クレジット数を表示するものである。払出クレジット数表示部８は、その奥に配された、例えば、７セグメントのＬＥＤからなる払出クレジット数表示器を有し、払出クレジット数表示器の点灯状態により、入賞時の払い出しクレジット数を表示するものである。遊技進行表示部１１は、その奥に配された、例えば、７セグメントのＬＥＤからなる遊技進行表示器を有し、遊技進行表示器の点灯状態によりボーナスゲームの進行に関する表示を行うものである。
【００３３】
さらに、前面枠２の前面には、クレジットのうち限度数（例えば、３）の遊技媒体数のベット（賭け）を一度の操作で行うためのマックスベットボタン９、クレジットを、操作を一度行う毎に１つずつベットするための１ベットボタン１０、前面枠２を開くための鍵が差し込まれる鍵穴１５、装飾のために点灯或いは点滅する装飾表示部１８、前面枠２の下部領域を構成する飾り板部１６等が設けられ、さらに、前面枠２の前面の最下部には灰皿１７が配設されている。また、前面枠２の前面における上部および機枠の内部（図４に図示）に、音出力部６２をなすスピーカ１９を備えている。
【００３４】
また、本実施形態のパチスロ遊技機１は、遊技媒体としてのメダルの排出や投入の代わりに、遊技媒体数に対応する数値データの加算や減算によって処理するようにした、いわゆる封入式のパチスロ遊技機となっている。このため、従来のパチスロ遊技機に設けられていたメダル投入口や、メダルの排出を行うホッパー等は設けられておらず、その代わりに、遊技者が保有する遊技媒体数に対応する数値データである持クレジット数を表示する持クレジット数表示部２１、遊技機１に所定数の持クレジットを移動する持クレジット移動ボタン２２を備えている。また、現金によって遊技媒体の貸出を受けるための貸出ボタン２３、遊技を終了する際に操作する遊技終了ボタン２４、遊技を中断する際に操作する休憩ボタン２５を備えている。なお、封入式のパチスロ遊技機における遊技の詳細については後述する。
【００３５】
加えて、パチスロ遊技機１は、図３に示すように、遊技を統括的に制御する遊技制御装置（メイン制御装置、メイン基板）５０と、この遊技制御装置５０の制御下で遊技の演出に関する制御を統括的に行う演出制御装置（サブ制御装置、サブ制御基板）６０と、持クレジット数の管理等を行う枠用制御装置（枠用制御基板）７０を備えて、制御系を構成している。また、この制御系の構成要素も、それぞれ機枠の内部に配されている。
【００３６】
このうち、遊技制御装置５０は、ＣＰＵ（Central Processing Unit）５１、ＲＯＭ（Read only memory）５２、ＲＡＭ（Random Access memory）５３、Ｉ／Ｆ（Interface）５４、乱数発生器５５等を備えて構成されている。
【００３７】
このうちＣＰＵ５１は、制御部、演算部を備え、遊技制御装置５０の演算処理装置として各種演算制御を行う。
【００３８】
ＲＯＭ５２には、各種処理を実行するための制御プログラムや制御データが書き込まれている他、内部抽選用の判定値などが書き込まれている。
また、ＲＯＭ５２には、各ゲームにおいて、停止制御を行う際に、各入賞に当選した場合の各入賞に対応する停止テーブルと外れに対応する停止テーブルを記憶している。
【００３９】
ＲＡＭ５３は、乱数発生器５５で生成される内部抽選用の乱数の記憶領域、各種データ（例えば、クレジット数のデータ、ベット数のデータ、各種入賞フラグの状態のデータ、および、入賞結果態様が成立した入賞に基づく払い出しに係るデータ、遊技者の停止操作態様のデータなど）を一時的に記憶する記憶領域、ならびに、ＣＰＵ５１の作業領域を備えている。なお、遊技者の停止操作態様のデータとは、例えば、停止操作した際の有効ライン上のリール本体２０２ａ，２０２ｂ，２０２ｃの図柄のデータや、停止操作したリール本体２０２ａ，２０２ｂ，２０２ｃの順番や、停止操作の回数や、所定の停止操作を行った回数などのカウント値となるデータや、過去のゲームにおいて所定の停止操作を所定の頻度で行ったか否かを示すフラグのデータである。
【００４０】
Ｉ／Ｆ５４は、図示しないローパスフィルタ及びバッファーゲートを介して、スタートレバースイッチ１３ａ、第１リール停止スイッチ１４ｄ、第２リール停止スイッチ１４ｅ、第３リール停止スイッチ１４ｆ、第１リール位置検出センサ５６ａ、第２リール位置検出センサ５６ｂ、第３リール位置検出センサ５６ｃ、１ベットスイッチ１０ａ、マックスベットスイッチ９ａ、確率設定装置５７、リセットスイッチ１５ａ、前面枠開放スイッチ５８、枠用制御装置７０から出力される各種の信号をＣＰＵ５１に対して出力している。
【００４１】
ここで、スタートレバースイッチ１３ａは、スタートレバー１３が操作されたことを検出するためのスイッチである。第１リール停止スイッチ１４ｄは第１リールストップボタン１４ａが操作されたことを、第２リール停止スイッチ１４ｅは第２リールストップボタン１４ｂが操作されたことを、第３リール停止スイッチ１４ｆは第３リールストップボタン１４ｃが操作されたことを、それぞれ検出するためのスイッチである。これらリールストップボタン１４ａ，１４ｂ，１４ｃと、リール停止スイッチ１４ｄ，１４ｅ，１４ｆとが各リール本体２０２ａ，２０２ｂ，２０２ｃに対応する停止操作手段となる。
【００４２】
第１リール位置検出センサ５６ａは第１リール本体２０２ａの回動位相を、第２リール位置検出センサ５６ｂは第２リール本体２０２ｂの回動位相を、第３リール位置検出センサ５６ｃは第３リール本体２０２ｃの回動位相を、それぞれ検出するためのセンサである。
１ベットスイッチ１０ａは１ベットボタンが操作されたことを、マックスベットスイッチ９ａはマックスベットボタン９が操作されたことを、それぞれ検出するためのスイッチである。
【００４３】
確率設定装置５７は、操作に基づき、当該パチスロ遊技機１における各ゲーム毎の入賞確率を複数段階（例えば６段階）の何れかに設定するための装置である。リセットスイッチ１５ａは、鍵穴１５に差し込まれた鍵が前面枠２を開放する時とは逆回り（左回り）に回動されたことを検出し、この検出に基づきパチスロ遊技機１をリセットするためのスイッチである。なお、リセットスイッチ１５ａが検出信号を遊技制御装置５０に出力することに基づき、例えば、当該パチスロ遊技機１のエラー状態が解除される。また、前面枠開放スイッチ５８は、前面枠２の開放状態を検出するためのスイッチである。
【００４４】
また、Ｉ／Ｆ５４は、ＣＰＵ５１から入力される制御信号を、図示しない出力ポート及びドライバを介して、演出制御装置６０、遊技進行表示部１１、ベットライン表示部３１、クレジット数表示部７、払出クレジット数表示部８、遊技状態表示部３７、装飾表示部５９、第１リール用モータ２０３ａ、第２リール用モータ２０３ｂ、第３リール用モータ２０３ｃ、枠用制御装置７０などに出力している。
【００４５】
乱数発生器５５は、所定サイクル時間毎に、乱数を更新（例えば＋１）し、遊技制御装置５０は、スタートレバースイッチ１３ａによる検出タイミングで、その時点の乱数をサンプリングする回路を有している。
【００４６】
そして、遊技制御装置５０は、ＣＰＵ５１の処理に基づき、当該遊技制御装置５０に設けられた乱数発生器５５により発生（生成）されて、サンプリング回路によりサンプリングされた乱数を内部抽選用の乱数として用いて内部抽選を行う（入賞に当選か否かを抽選する抽選手段としての機能を有する）。なお、上記乱数発生器５５の代わりに、ＣＰＵ５１自体が、内部抽選用の乱数を生成する処理を行うようにしても良い。
【００４７】
また、遊技制御装置５０は、各入賞の当選、当選しない場合（外れの場合）のリール本体２０２ａ，２０２ｂ，２０２ｃの停止制御を、各入賞の当選や外れに対応した停止テーブルに従って停止制御を行う。なお、停止制御とは、遊技制御装置５０による第１〜第３リール用モータ２０３ａ，２０３ｂ，２０３ｃの制御により、表示窓部５内に停止表示される各リール本体２０２ａ，２０２ｂ，２０２ｃの図柄を決めるものである。
【００４８】
また、演出制御装置６０は、ＣＰＵ（Central Processing Unit）、ＲＯＭ（Read only memory）、ＲＡＭ（Random Access memory）、Ｉ／Ｆ（Interface）等を備えて構成され、遊技制御装置５０の制御下で或いは独自の制御により、音制御装置６１に制御信号を出力している。音制御装置６１は、ＣＰＵ（Central Processing Unit）、ＲＯＭ（Read only memory）、ＲＡＭ（Random Access memory）、Ｉ／Ｆ（Interface）等を備えて構成され、演出制御装置６０から入力された制御信号に基づき音出力部６２に音信号を出力している。すなわち、演出制御装置６０と音制御装置６１、音出力部６２とが演出手段として機能する。この他にも演出制御装置６０は、リールバックライト２１２の各ランプのＯＮ、ＯＦＦの制御なども行っている。
【００４９】
また、枠用制御装置７０は、ＣＰＵ（Central Processing Unit）、ＲＯＭ（Read only memory）、ＲＡＭ（Random Access memory）、Ｉ／Ｆ（Interface）等を備えて構成されており、封入式のパチスロ遊技機における遊技媒体データの処理等を行うものである。この枠用制御装置７０には、図示しないＩ／Ｆを介して、メイン制御装置５０、持クレジット移動スイッチ２２ａ、貸出スイッチ２３ａ、休憩スイッチ２５ａ、遊技終了スイッチ２４ａ、台間機（図示略）から出力される各種の信号がＣＰＵに対して入力されるようになっている。また、ＣＰＵからＩ／Ｆを介して、メイン制御装置５０、台間機、持クレジット数表示制御装置３８、外部信号出力部３９に各種の信号が出力されるようになっている。
【００５０】
持クレジット数表示制御装置３８は、ＣＰＵ（Central Processing Unit）、ＲＯＭ（Read only memory）、ＲＡＭ（Random Access memory）、Ｉ／Ｆ（Interface）等を備えて構成され、枠用制御装置７０から入力された制御信号に基づき、持クレジット数表示部２１の表示を制御するものである。また、外部信号出力部３９は、パチスロ遊技機１の外部に対し出力される外部信号を中継するものである。
【００５１】
以上のような構成を有するパチスロ遊技機１においては、パチスロ遊技機１に隣接して設けられた図示しない台間機（カードユニット）に遊技者がカードを挿入すると、そのカードに記憶されている遊技者の遊技媒体数に対応する数値データとしての持クレジット数に関する情報が枠用制御装置７０に入力される。枠用制御装置７０では、この情報に基づき、持クレジット数表示制御装置３８を介して、７セグメントのＬＥＤからなる持クレジット数表示部２１に持ちクレジット数を表示させる。
【００５２】
遊技者が持クレジット移動ボタン２２を操作すると、枠用制御装置７０では、持クレジット数を遊技に使用可能なクレジットに変換する処理として、例えば、５０クレジット分の持クレジットをクレジットに変換する処理がなされ、メイン制御装置５０にその情報が送信される。そして、これに伴い、クレジット数表示部７に「５０」と表示されるとともに、持クレジット数表示部２１に５０クレジットが減算された値が表示される。なお、クレジット数表示部７に表示されているクレジット数が「０」でない場合（例えば５）は、クレジット数表示部７に「５０」と表示するとともに、持クレジット数表示部２１に最大クレジット数（「５０」）から残クレジット数（「５」）を減算した数（「４５」）を減算した値が表示される。
【００５３】
一方、遊技者が台間機に現金を投入した場合、例えば、１０００円を投入すると、その情報が枠用制御装置７０に入力されるとともにメイン制御装置５０に送信され、そのままクレジット数表示部７にクレジット数が「５０」と表示される。また、５０００円、１００００円を投入した場合は、最初の１０００円分のクレジット（５０クレジット）はクレジット数表示部７に表示され、残金は台間機に設けられた表示部に表示される（例えば、４０００円、９０００円と表示）。また、残金がある状態で貸出ボタン２３を操作すると、１０００円分のクレジット（５０クレジット）が貸し出されるようになっている。なお、クレジット数表示部７に残クレジットが生じていた場合（例えば２）は、クレジット数表示部７のクレジット数が満タン（５０クレジット）になるまでクレジットを加算し、残りは持クレジット数に加算される。
【００５４】
遊技者は、以上のように遊技機に移動されるクレジットとしての数値データを用いて遊技が可能であって、ベットする（賭けを行う）とその分だけ数値データが減算されるようになっている。この際、マックスベットボタン９を操作することで、クレジットが最大ベット数以上あれば最大ベット数までベットされる。なお、クレジットが最大ベット数未満の場合は、クレジットのすべてがベットされる。また、１ベットボタン１０を操作すると１枚ずつベットされ、そのベット数に応じて有効ラインが設定される。
【００５５】
ベットを行った後、スタートレバー１３を操作することによってリール本体２０２ａ，２０２ｂ，２０２ｃが回転するとともに、メイン制御装置５０において抽選処理がなされて入賞の有無が決定され、リールストップボタン１４ａ，１４ｂ，１４ｃを押すことによって入賞の有無に基づく停止制御によりリール本体２０２ａ，２０２ｂ，２０２ｃが停止する。そして、有効ライン上で入賞に対応する所定の入賞結果態様が形成された場合に入賞が成立し、該入賞結果態様に対応した量の遊技価値が付与される。遊技の結果、付与される遊技価値は、実際の遊技媒体（メダル）を払い出すことなく、クレジットに加算されるようになっている。ここで、クレジット数表示部７に加算されるクレジットがオーバーフローした場合は、その分のクレジットは持クレジット数に加算される。以上で一区切りのゲームが終了し、以降、この操作を繰り返すことによって遊技を行うようになっている。
【００５６】
なお、当選した入賞によっては、リールストップボタン１４ａ，１４ｂ，１４ｃを押すタイミングによっては入賞が成立しない場合がある（いわゆる取りこぼし）。ただし、当選した入賞がＢＢ、ＲＢ入賞であった場合は、これらの入賞が成立するまで継続して入賞の権利が毎回のゲームに持ち越される。また、ＢＢ、ＲＢ入賞が成立した場合は、多量の遊技媒体を容易に獲得可能なボーナスゲームを実行可能となる。
【００５７】
また、クレジットが０になると遊技ができない状態となる。この場合は、上述したように持クレジットからの移動もしくは現金からの貸出しを行うことにより再び遊技が可能となる。
【００５８】
遊技を終了する場合には、遊技終了ボタン２４を操作することによって、クレジット数表示部７に表示されているクレジット数が持クレジット数に追加される処理がなされ、その情報がカードに記憶されてカードが台間機から排出されるようになっている。また、休憩ボタン２５は、トイレ等で遊技者が席を立つ場合に操作するボタンで、このボタンを操作することによって、台間機からカードが排出され、かつ、他の遊技者がその遊技機で遊技を行えないようにロックをするようになっている。なお、遊技を再開する際には、例えば、予め設定した暗証番号の入力を要求するようにしても良い。
【００５９】
次に、変動表示装置１００の構成について説明する。
図２に示すように、この変動表示装置１００は、外枠をなすリールユニット収容部材１０１に、複数の識別図柄が外周面に表示された円筒形のリール本体２０２を有するリールユニット２００が複数収容されたものであって、機枠３内に形成された載置棚４上に着脱可能に配され、前面枠２に設けられた表示窓部５から視認可能となっている。
【００６０】
変動表示装置１００の外枠をなすリールユニット収容部材１０１は、前側に開口した収容空間１０２を有する箱状の部材で、機枠３の内部に形成された載置棚４上に固定されるようになっている。このリールユニット収容部材１０１の前側に開口した収容空間１０２内には、複数の識別図柄が外周面に表示された円筒形のリール本体２０２や、このリール本体２０２を駆動する駆動源としてのリール用モータ２０３を備えたリールユニット２００が、所定幅の間隔部２２２をおいて左右方向に３つ並んで収容されている。
【００６１】
なお、リールユニット収容部材１０１の収容空間１０２は、リールユニット２００の後側略半分を収容可能な奥行きを有しており、リールユニット収容部材１０１にリールユニット２００を収容した状態では、リール本体２０２の前側略半分が開口から露出した状態となっている。すなわち、リール本体２０２の前端部がリールユニット収容部材１０１の前端部よりも前方に突出した位置に配されている。さらに、図４に示すように、リール本体２０２の前端部は、機枠３の前端よりも前側に突出しており、前面枠２の表示窓部５に近接した位置に配されるようになっている。
【００６２】
また、図４に示すように、機枠３に形成された載置棚４の前面には、変動表示装置１００を固定するための固定手段４０が設けられている。この固定手段４０は、載置棚４の前面に対して垂直に形成された回動軸４１と、該回動軸４１に回動可能に取り付けられ、回動軸４１の径方向に沿って突出する係合部４２ａを備える固定具４２とからなる。なお、係合部４２ａは、回動軸４１を挟んで対向するように２つ形成されていて、この２つの係合部４２ａ，４２ａと回動軸４１は一直線上に配されている。よって、固定具４２を回動させることで、係合部４２ａ，４２ａが水平な状態と垂直な状態とに変換できるようになっている。
【００６３】
また、図５に示すように、変動表示装置１００のリールユニット収容部材１０１の前面における下部には、固定手段４０が設けられた載置棚４の前面を前側から覆うように鍔状の固定部１０３が形成されている。この固定部１０３には、変動表示装置１００を載置棚４に載置した際に、上述した固定手段４０と対向する部分に、係合部４２ａ，４２ａが水平な状態でのみ固定具４２を挿通可能なように、左右方向に延在する長穴状の挿通穴１０３ａが形成されている。
【００６４】
そして、載置棚４に設けられた固定手段４０の固定具４２を水平な状態として、変動表示装置１００に形成された挿通穴１０３ａに挿通するように変動表示装置１００を載置棚４に載置した後、固定具４２を回動して係合部４２ａを垂直な状態に変換することにより、固定部１０３が係合部４２ａと載置棚４の前面の間に固定され、変動表示装置１００が載置棚４に固定されるようになっている。なお、変動表示装置１００を載置棚４から取り外す際には逆の操作を行えばよい。
【００６５】
また、図５に示すように、載置棚４には、載置棚４上に配される変動表示装置１００から載置棚４の下部に配された装置への配線を通すための開口４ａや、リールユニット収容部材１０１の前端部下方に形成された後述する軸受部１０４を受け入れる切欠き部４ｂが形成されている。
【００６６】
図６に示すように、リールユニット収容部材１０１の左右の側面には演出制御装置６０、中継基板１０５，１０５が取り付けられ、上部後方にはパチスロ遊技機１の制御系をなすメイン制御装置５０が取り付けられている。
【００６７】
リールユニット収容部材１０１の前面側から見て左側の外側面には、演出制御装置６０が取り付けられている。この演出制御装置６０は、ボックス６０ａに収納されており、このボックス６０ａのリールユニット収容部材１０１の外側面と対向する面には、取付部材６０ｂが設けられている。この取付部材６０ｂには、位置合わせ用のボス６０ｃ，６０ｃと固定用のねじ止め部６０ｄ，６０ｄが形成されており、これに対応してリールユニット収容部材１０１の外側面には、図示しない位置合わせ用の凹部とねじを挿通可能なねじ穴が形成されている。そして、リールユニット収容部材１０１に形成された凹部にボス６０ｃ，６０ｃを挿入し、さらに、リールユニット収容部材１０１に形成されたねじ穴に、収容空間１０２の内側からねじを挿通して、ボックスのねじ止め部６０ｄ，６０ｄに螺合することで、演出制御装置６０がリールユニット収容部材１０１の外側面における所定位置に固定されるようになっている。
【００６８】
また、リールユニット収容部材１０１の外側面であって、上部前側と右側には、各装置間の配線を中継する中継基板１０５，１０５が取り付けられている。この中継基板１０５，１０５は、リールユニット収容部材１０１の外側面に対して直接ねじによって固定されている。
【００６９】
リールユニット収容部材１０１の上部後側には、メイン制御装置５０が取り付けられている。メイン制御装置５０は透明な材質からなるボックス５０ａに収納されており、このボックス５０ａの下部であって左右の両側端には、図７（ｂ）に示すように、四角柱状のメイン基板取付挿入部５０ｂ，５０ｂが下方に突出するように形成されている。この四角柱状のメイン基板取付挿入部５０ｂ，５０ｂは、ボックス５０ａの背面より後方に突出するように形成されており、上端部の後部には前側に窪んだ段部５０ｃが形成されている。
【００７０】
そして、リールユニット収容部材１０１の上部後側であって、メイン基板取付挿入部５０ｂ，５０ｂと対向する部分には、四角柱状のメイン基板取付挿入部５０ｂ，５０ｂを挿入可能な矩形筒状のメイン基板取付受部１０６，１０６が形成されている。また、それぞれの矩形筒状のメイン基板取付受部１０６における後側の壁面には、ここに挿入されるメイン基板取付挿入部５０ｂの後部に形成された段部５０ｃに係合可能な係合爪１０７が形成されている。この係合爪１０７は、メイン基板取付受部１０６の上方に突出するように形成されており、その前面は下方に向かって筒状の空間上に延出するように、前側に突出する傾斜面１０７ａとされ、側面視三角形状に形成されている。
【００７１】
以上のような構成によって、リールユニット収容部材１０１と、メイン制御装置５０を収納したボックス５０ａは容易に着脱できるようになっている。
リールユニット収容部材１０１に対してボックス５０ａを取り付ける場合は、図６、図７（ｂ）に示すように、メイン基板取付受部１０６，１０６に対してメイン基板取付挿入部５０ｂ，５０ｂを上方から挿入するように押し込む。このとき、メイン基板取付挿入部５０ｂの下端部後部が係合爪１０７の前面の傾斜面１０７ａに当接し、さらにメイン基板取付挿入部５０ｂを下方へ移動させることで、係合爪１０７は後方へ押圧されて筒状の空間上から退避するように後方へ弾性変形する。これによって、メイン基板取付挿入部５０ｂをメイン基板取付受部１０６に挿入可能となる。そして、図７（ａ）に示すように、メイン基板取付挿入部５０ｂをメイン基板取付受部１０６に完全に挿入すると、後方に弾性変形していた係合爪１０７が元に戻ってメイン基板取付挿入部５０ｂの段部５０ｃに係合し、リールユニット収容部材１０１にボックス５０ａが固定されるようになっている。
【００７２】
このようにリールユニット収容部材１０１に固定されたボックス５０ａは、図４に示すように、リールユニット２００の上部に垂直に配されるようになっており、前面枠２を開放すれば透明な材質からなるボックス５０ａに収納されたメイン制御装置５０を視認できるようになっている。これによって、メイン制御装置５０に対する不正な改造のチェックや、製造番号のチェックなどを容易に行うことができる。
【００７３】
また、リールユニット収容部材１０１からボックス５０ａを取り外す際は、手で係合爪１０７を後方へ弾性変形させてメイン基板取付挿入部５０ｂの段部５０ｃへの係合を解除し、ボックス５０ａを上方へ持ち上げてメイン基板取付挿入部５０ｂをメイン基板取付受部１０６から抜けば容易にはずすことができる。これによって、後述するリール本体２０２の交換と併せてメイン制御装置５０も交換でき、機種の変更を容易に行うことができる。
【００７４】
以上のことから、変動表示装置１００の上部であって、前面枠２を開放することにより前面側から視認可能な位置に、遊技の制御を行うメイン制御装置５０を着脱可能に取り付けたこととなる。また、メイン制御装置５０は透明な材質からなるボックス５０ａに収容されており、該ボックス５０ａの下部に形成されたメイン基板取付挿入部５０ｂ，５０ｂを、変動表示装置１００の上部に形成されたメイン基板取付受部１０６，１０６に挿入することで取り付けられていることとなる。
【００７５】
図８，９に示すように、リールユニット収容部材１０１の前方下端部には、リールユニット２００のリール支持板２０１を前後方向に回動可能に軸着する軸受部１０８，１０８，１０８が各リールユニット２００に対応して形成されている。この軸受部１０８は略矩形状の凹部となっていて、前面側から見て右側の内壁面には、リール支持板２０１の軸着部２０４に形成された回動軸２０５を受け入れる軸受凹部１０９が形成されている。さらに、この軸受凹部１０９が形成された内壁面に沿って後方に延在するように板状のリール支持板２０１の軸着部２０４を受け入れる溝部１１０が形成されている。また、この内壁面と溝部１１０を挟んで対向する位置には、リール支持板２０１の軸着部２０４に形成されたベース取付支点軸２０６を受け入れるベース取付受部１１１が形成され、軸受部１０８の後方側端部にはねじ止め部１１２が形成されている。
【００７６】
また、図１４（ｂ）に示すように、軸受部１０８の前方下端部は、後述するように、前後方向に回動可能なリール支持板２０１の前端面２１３が当接し、これ以上の下方向への回動を規制されるようになっている。すなわち、この軸受部１０８の前方下端部がリールユニット２００の回動を規制するベース回動規制部１１３をなし、このベース回動規制部１１３に当接するリール支持板２０１の前端面２１３がベース回動停止部２０７をなす。なお、この軸受部１０８に取り付けられるリールユニット２００の詳細については後述する。
【００７７】
図１１（ａ）、（ｂ）、図１２に示すように、リールユニット収容部材１０１の前方上端部には、リールユニット２００をリールユニット収容部材１０１の収容空間１０２内に収容した状態で固定するリールユニット固定部１１５が形成されている。このリールユニット固定部１１５は、上述の軸受部１０８と上下に対向する位置であって各リールユニット２００のリール支持板２０１が配される部分に、下方に向かって収容空間１０２内へ突出する突出部１１６を有し、この突出部１１６の前面にはボス１１６ａが形成されている。このボス１１６ａは、後述するようにリール支持板２０１のベース固定部２０８に形成された嵌合穴２０９に嵌るとともに、リール支持板２０１の前面側に取り付けられる仕切板２１０の上部によって前面側から覆われるようになっている。また、リールユニット固定部１１５には、上述したリールユニット収容部材１０１を載置棚４に固定する固定手段４０の固定具４２と同様の構成を有するベースロック１１７が設けられている。
【００７８】
リールユニット固定部１１５の上端部には、リールユニット固定部１１５を前側から覆うことができるベース押え部１１８が上下方向に回動可能に取り付けられている。このベース押え部１１８には、上述したリールユニット収容部材１０１の固定部１０３に形成された挿通穴１０３ａと同様の構成を有する挿通穴１１８ａが、上述のベースロック１１７と対向する位置に形成されている。そして、この挿通穴１１８ａに、ベースロック１１７を挿通して９０度回転させることでベース押え部１１８がリールユニット固定部１１５の前面側を覆った状態で固定されるようになっている。
【００７９】
このようにベース押え部１１８をリールユニット固定部１１５の前面側を覆った状態で固定することで、ボス１１６ａが形成された突出部１１６の前面側において、リール支持板２０１のベース固定部２０８、仕切板２１０の上部がリールユニット固定部１１５とベース押え部１１８の間に挟まれて固定されるようになる。これによってリールユニット２００がリールユニット収容部材１０１の収容空間１０２に収容された収容位置で固定されるようになっている。
【００８０】
図１５に示すように、リールユニット２００は、円筒形のリール本体２０２、各種部材を取り付けるベースとなるリール支持板２０１、リール本体を回転駆動するリール用モータ２０３、リール本体２０２の回動位相を検出するリール位置検出センサ５６、リール本体を内側から照らすリールバックライト２１２、を備えている。リールユニット収容部材１０１には、リールユニット２００が左右方向に並列に３つ配されており、それぞれのリールユニット２００は、リールユニット収容部材１０１の収容空間１０２に収容された収容位置と、リールユニット収容部材１０１の前面側に位置する着脱位置とに変換可能とされている。なお、リールユニット２００は３つとも同じ構成を有するものである。
【００８１】
リール本体２０２は、円筒形をしており、外周面に複数の識別図柄（図示略）が表示されている。このリール本体２０２の一側面には、中心部にリール用モータ２０３の駆動軸２２０に接続する接続部２１４が設けられ、ここから放射状に４本の補強部材２１６，２１６，…が９０度おきに形成されている。この補強部材２１６，２１６，…は、横方向へのぶれに対する強度の増強およびリール本体２０２のねじれを防ぐために、中心と外周面との間の略中央を境にして、外周面側は外周面に対して垂直に形成され、中心側は円筒形のリール本体２０２の内側へ傾斜するように形成された断面凸型となっている。また、上述した補強部材２１６，２１６，…の屈曲部分を結ぶように円形の補助部材２１７が形成され、さらに補強部材２１６，２１６，…どうしの間に、円形の補助部材２１７から外周面に向かって放射状に延びる４本の補助部材２１８，２１８，…が形成されている。この放射状に伸びる４本の補助部材２１８，２１８，…は、ちょうど補強部材２１６，２１６，…と等間隔をおいて配されている。
【００８２】
リール用モータ２０３の駆動軸２２０に接続する接続部２１４には、上述したリールユニット収容部材１０１の固定部１０３に形成された挿通穴１０３ａと同様の構成を有する挿通穴２１５が形成されており、リール用モータ２０３の駆動軸２２０に設けられたリールロック２２１によってリール本体２０２を駆動軸２２０に固定できるようになっている。
【００８３】
リール支持板２０１は、リールユニット収容部材１０１に形成された収容空間１０２の前後方向に沿った断面形状と略等しい形状をしており、ちょうど収容空間１０２内に収容される板状の部材である。図８，９に示すように、このリール支持板２０１は、収容空間１０２内に収容した状態における前方下端部がリールユニット収容部材１０１の前方下端部の軸受部１０８に回動可能に軸着される軸着部２０４となっており、これによってリールユニット２００が前後方向に回動可能に取り付けられるようになっている。
【００８４】
リール支持板２０１の軸着部２０４は下方に突出していて、この軸着部２０４におけるリール本体２０２が取り付けられる側の面には、円柱状の回動軸２０５が板面に対して垂直に形成されている。また、軸着部２０４における回動軸２０５の裏面側には、回動軸２０５と同様に板面に垂直に形成された円柱状のベース取付支点軸２０６が形成されている。
【００８５】
このリール支持板２０１の軸着部２０４を、リールユニット収容部材１０１の軸受部１０８に前側から挿入することで、回動軸２０５が軸受凹部１０９に受け入れられるとともに、ベース取付支点軸２０６がベース取付受部１１１に受け入れられる。また軸着部２０４自体は溝部１１０に受け入れられる。この状態でねじ止め部１１２に前側からねじ１１４を羅合する。ここで用いるねじ１１４は、頭部の周囲に鍔状のフランジ１１４ａが形成されたものであって、鍔状に突出するフランジ１１４ａがベース取付支点軸２０６の前部に当接し、ベース取付受部１１１から前方向へ脱落するのを規制するようになっている。これによってリール支持板２０１が軸受部１０８内に回動可能に保持され、リールユニット２００がリールユニット収容部材１０１に回動可能に保持されることとなる。
【００８６】
また、図１０に示すように、このリール支持板２０１の、収容空間１０２内に収容した状態における前端部は、後述するリールバックライト２１２が取り付けられる上下方向の略中央部を除き、リール本体２０２の配設される側とは反対側へ直角に屈曲し、遊技機１の左右方向に沿って垂直な前端面２１３となっている。そして、この前端面２１３の上端部が、上述したリールユニット収容部材１０１におけるリールユニット固定部１１５の突出部１１６に当接し、前後方向に回動可能なリールユニット２００の後方への移動を規制するベース固定部２０８となっている。また、このベース固定部２０８には嵌合穴２０９が形成されていて、この嵌合穴２０９が突出部１１６に形成されたボス１１６ａにちょうど嵌るようになっており、これによってリールユニット２００の上下左右方向への移動が規制されるようになっている。
【００８７】
さらに、リール支持板２０１の前端面２１３には、リールユニット収容部材１０１の収容空間１０２内に左右方向に並んだリールユニット２００どうしの間の間隙部２２２を埋めて、遊技機１の内部が見えないようにするための仕切板２１０が取り付けられている。この仕切板２１０は、リール本体２０２と略同じ曲率を有する円弧状の部材であって、リール本体２０２がリールユニット収容部材１０１の前端から突出した部分に沿って配されるようになっている。
【００８８】
この仕切板２１０は、裏面側の上下端部に後方へ突出する仕切板取付片２１０ａ，２１０ａを有しており、この仕切板取付片２１０ａ，２１０ａをリール支持板２０１の前端面２１３に形成された取付片受孔２１３ａ，２１３ａに挿入して係合させることで、リール支持板２０１の前端面２１３に取り付けられるようになっている。また、この仕切板２１０の上端部は、リール支持板２０１のベース固定部２０８およびベース固定部２０８の嵌合穴２０９に嵌合したボス１１６ａの前面側を覆うように配されるようになっている。そして上述したように、さらにこの部分はベース押え部１１８によって前面側が覆われるようになっており、この状態でベース押え部１１８が固定されることでリールユニット２００の前後動が規制されることとなる。
【００８９】
また、図１５に示すように、リール支持板２０１の、収容空間１０２内に収容された状態における前側の部分であって、上下方向の略中央には、リール本体２０２を回転駆動する駆動源としてのリール用モータ２０３（ステッピングモータ）が取り付けられている。このリール用モータ２０３は、その駆動軸２２０がリール支持板２０１に対して垂直になるように配されており、この駆動軸２２０にリール本体２０２が取り付けられるようになっている。
【００９０】
リール用モータ２０３の駆動軸２２０には、リール本体２０２を取り付けるための固定手段の固定具としてリールロック２２１が設けられている。このリールロック２２１は、上述したリールユニット収容部材１０１を載置棚４に固定する固定手段４０の固定具４２と同様の構成を有するものであって、リール本体２０２の接続部２１４に形成された挿通穴２１５に挿通し、９０度回転させることでリール本体２０２を固定するものである。なお、上述したようにリール本体２０２の接続部２１４が形成された部分はリール本体２０２の内側に窪んでおり、隣接するリールユニット２００にリールロック２２１が接触しないようになっている。
【００９１】
また、リール支持板２０１の、収容空間１０２内に収容された状態における前側の部分であって、リール用モータ２０３の上側となる位置には、リール位置検出センサ５６が設けられている。図２０に示すように、このリール位置検出センサ５６は、発光部と受光部がリール本体２０２の径方向に沿って所定の間隔をおいて対向するように配された検出部２１１を備える光センサであって、発光部と受光部との間（検出可能位置）に障害物がない場合は発光部からの光が受光部で検出されてセンサがＯＮとなり、障害物がある場合は発光部からの光が遮られて受光部で検出できずセンサがＯＦＦとなるものである。すなわち、発光部と受光部との間における障害物の有無を検出することができ、その検出信号はメイン制御装置５０に入力されるようになっている。
【００９２】
そして、リール本体２０２の補強部材２１６には、このリール位置検出センサ５６で検出可能な障害物として、板状の遮光板であるリール位置検出片２１９が形成されており、このリール位置検出センサ５６とリール位置検出片２１９によって、リール本体２０２の回動位相を検出できるようになっている。
【００９３】
また、リール支持板２０１の、収容空間１０２内に収容された状態における前側の部分であって、リール用モータ２０３の前側となる位置には、リール支持板２０１から突出するようにリールバックライト２１２が設けられている。このリールバックライト２１２は、リール本体２０２の内周面に隣接するように配され、リール本体２０２の内側からリール本体２０２を照らすものであって、その内部には、前面枠２に形成された表示窓部５内に、上下に３つ並んで表示される識別図柄のそれぞれに対応して、ランプが上下に３つ並んで配されている。
【００９４】
すなわち、変動表示装置１００に設けられる第１リール本体２０２ａ、第２リール本体２０２ｂ、第３リール本体２０２ｃの裏面にはそれぞれ、第１リールバックライト２１２ａ、第２リールバックライト２１２ｂ、第３リールバックライト２１２ｃが配されている。そして、これらによって各図柄が停止される３つの領域に点滅自在にランプが配置され、９つの領域のそれぞれにランプが配されることとなる。なお、９つの領域毎に例えば、色の異なるランプを複数ずつ配置し、各色のランプ毎に点灯及び消灯を独立して行えるようになっていても良い。
【００９５】
このようなリールバックライト２１２によって、表示窓部５全体を各リール本体２０２ａ，２０２ｂ，２０２ｃの裏面側から照らしたり、各リール本体２０２ａ，２０２ｂ，２０２ｃ毎に照らしたり（三つのリールのうちの一つもしくは複数のリールを背面から照らす）、有効ライン毎に照らしたり（５つの有効ラインのうちの一本、もしくは複数本の有効ラインを照らす）、表示窓部５内で各リールの各図柄が停止される９つの領域毎に照らしたり（９つの領域のうちの一つもしくは複数を照らす）することができる。
【００９６】
次に、以上のような構成を有するパチスロ遊技機１におけるリール本体２０２の着脱方法について説明する。なお、図面においては変動表示装置１００が機枠３から取り外されているが、以下の説明では機枠３に取り付けられているものとして説明する。
【００９７】
まず、前面側から見て右側にあるリールユニット２００（第３リールユニット２００ｃ）のリール本体２０２（第３リール本体２０２ｃ）を取り外す場合について説明する。
はじめに、図２に示すように前面枠２を開放し、図１１（ｂ）に示すように、ベースロック１１７，１１７を水平な状態に回動してベース押え部１１８に形成された挿通穴１１８ａ，１１８ａに挿通可能な状態として、リールユニット２００を収容位置に固定するためのベース押え部１１８の固定を解除し、ベース押え部１１８を上方向に回動させる。
次に、図１２に示すように、取り外すリール本体２０２が取り付けられているリールユニット２００において、リール支持板２０１の前端面２１３に取り付けられている仕切板２１０を取り外し、さらにリールユニット固定部１１５の突出部１１６に形成されたボス１１６ａに嵌合した状態のベース固定部２０８を取り外す。
【００９８】
そして、図１３に示すように、リールユニット２００を軸着部２０４の回動軸２０５を中心に前方に回動させ、リールユニット収容部材１０１の収容空間１０２に収容された収容位置から、リールユニット収容部材１０１の前側に位置する着脱位置に変換する。このとき、軸受部１０８においては図１４（ａ）に示す状態（収容位置）から、図１４（ｂ）に示すように、リールユニット収容部材１０１の軸受部１０８のベース回動規制部１１３に、リール支持板２０１の前端面２１３のベース回動停止部２０７が当接する状態となり、所定角度回動した位置で下方向への回動が規制されるようになっている。
【００９９】
ここで、リールユニット２００が回動する所定角度は、図１３に示すように右側のリールユニット２００において、着脱位置に変換した際にリール本体２０２が完全にリールユニット収容部材１０１の収容空間１０２から外に出た状態となり、かつ、リール本体２０２が載置棚４に接しないような角度であって、本実施形態では収容位置から前側に約１０６度とされている。このように、リールユニットの回動角度を所定角度に規制することで、載置棚４にリールユニット２００が接触して破損してしまうことを防止している。特に、従来のようにメダルを使用するパチスロ遊技機の場合は、遊技機の下部にメダルを排出するためのホッパーなどが備えられていて、よりリールユニット２００に接触する可能性が高いため、このように回動角度を規制することが好ましい。
【０１００】
リールユニット２００を着脱位置に変換した状態で、図１５に示すように、駆動軸２２０に設けられたリールロック２２１を回動させてリール本体２０２の接続部２１４に形成された挿通穴２１５に通過可能な状態とし、リール本体２０２の固定を解除する。そして、リール本体２０２を駆動軸２２０の延在方向に沿って移動すればリール本体２０２を取り外すことができる。
【０１０１】
前面側から見て中央もしくは左側のリール本体２０２（第２リール本体２０２ｂ、第１リール本体２０２ａ）を取り外す場合には、まず、図２に示すように前面枠２を開放し、図１１（ｂ）に示すように、ベースロック１１７，１１７を水平な状態に回動してベース押え部１１８に形成された挿通穴１１８ａ，１１８ａに挿通可能な状態として、リールユニット２００を収容位置に固定するためのベース押え部１１８の固定を解除し、ベース押え部１１８を上方向に回動させる。
次に、図１２に示すように、取り外すリール本体２０２が取り付けられているリールユニット２００において、リール支持板２０１の前端面２１３に取り付けられている仕切板２１０を取り外し、さらにリールユニット固定部１１５の突出部１１６に形成されたボス１１６ａに嵌合した状態のベース固定部２０８を取り外す。ここまでは上述した右側のリールユニット２００の場合と同じ作業である。
【０１０２】
続いて、取り外すリール本体２０２が取り付けられているリールユニット２００の右側に隣接するリールユニット２００に取り付けられている仕切板２１０を取り外し、間隙部２２２を開放した状態とする。そして、図１６に示すように、リール本体２０２を取り外すリールユニット２００を着脱位置に変換し、図１７に示すように、リールロック２２１によるリール本体２０２の固定を解除する。
【０１０３】
リール本体２０２の固定を解除したら、リール本体２０２を駆動軸２２０の延在方向に沿って、隣接するリールユニット２００に当接するまで移動させる。上述したように着脱位置では、リール本体２０２が完全にリールユニット収容部材１０１の収容空間１０２から外に出た状態となるが、収容位置では、リール本体２０２の略半分が収容空間１０２の前側に突出した状態となっている。よって、中央、左側のリールユニット２００においては、着脱位置に変換しても隣接するリールユニット２００と一部が重なった状態となり、駆動軸２２０の延在方向に沿って移動させると、隣接するリールユニット２００に当接することとなる。すなわち、隣接するリールユニット２００がリール本体２０２の横方向への移動を所定範囲に規制するリール取外規制部をなす。
【０１０４】
このように、リール取外規制部に当接した状態では、リール本体２０２の接続部２１４から駆動軸２２０が完全に抜けた状態となっている。また、リール位置検出片２１９は、リール位置検出センサ５６の検出部２１１よりも右側に離れ、リール位置検出センサ５６の検出部２１１の検出可能位置から取り外された状態となっている。なお、リールユニット２００の回動角度を大きくすれば、中央、左側のリールユニット２００においても隣接するリールユニット２００と重ならない状態とすることができるが、上述したようにリールユニット２００が載置棚４や他の装置と接触する問題が発生してしまう。
【０１０５】
リール本体２０２が隣接するリールユニット２００（リール取外規制部）に当接する状態としたら、図１８に示すように、リール本体２０２を隣接するリールユニット２００と重ならない位置まで下方に移動する。このとき、リール本体２０２の接続部２１４から駆動軸２２０が完全に抜けているとともに、リール位置検出片２１９がリール位置検出センサ５６の検出部２１１の検出可能位置から取り外された状態となっているので、それぞれが接触することなく移動することができる。
そして、この後、図１９に示すように、左右方向に沿って移動することでリール本体２０２を取り外すことができる。
なお、このように取り外したリール本体２０２を再び取り付ける際には、上述した操作と逆の操作を行えばよい。
【０１０６】
以上のことから、筐体（機枠３）内に設けられ前側に開口した収容空間１０２を有する箱状のリールユニット収容部材１０１と、リールユニット収容部材１０１に複数配したリールユニット２００と、を有する変動表示装置１００を備え、変動表示装置１００のリールユニット２００は、各種部材を取り付けるベースとなるリール支持板２０１と、複数の識別情報が外周面に表示されたリール本体２０２と、リール支持板２０１に設けられリール本体２０２を回動させる駆動源（リール用モータ２０３）と、リール本体２０１の回動位相を検出するリール位置検出手段（リール位置検出センサ５６、リール位置検出片２１９）と、駆動源の駆動軸２２０にリール本体２０２を着脱可能に取り付ける固定手段（リールロック２２１）と、から構成し、リールユニット収容部材１０１に対して複数のリールユニット２００を、駆動軸２２０の延在方向に沿って所定幅の間隙部２２２をおいて配したスロットマシンにおいて、リール位置検出手段は、リール支持板２０１に設けられリール本体２０２の径方向に沿って所定の間隔をおいて対向する検出部２１１を有するリール位置検出センサ５６と、リール本体２０１に設けられリール位置検出センサ５６によって検出されるリール位置検出片２１９と、から構成し、リールユニット２００は、リール支持板２０１がリールユニット収容部材１０１の前方下端部（軸受部１０８）に回動可能に軸着されて、リールユニット収容部材１０１内に収容された収容位置と、リールユニット収容部材１０１の前方に位置する着脱位置とに回動変換可能であって、収容位置では、リール本体２０２の前端部がリールユニット収容部材１０１の前端部よりも前方に突出した位置に配されるとともに、間隙部２２２に前面側を覆う仕切板２１０が配され、着脱位置では、固定手段によるリール本体２０２の固定を解除し、間隙部２２２の幅内でリール本体２０２を駆動軸２２０の延在方向に移動することにより、該リール本体２０２を駆動軸２２０から取り外すとともに、リール位置検出片２１９をリール位置検出センサ５６の検出部２１１の検出可能位置から取り外し、その後、該リール本体２０２を隣接するリールユニット２００と重ならない位置まで移動することでリール本体２０２を取り外し可能に構成したこととなる。
【０１０７】
なお、本実施形態では、コイン（メダル）の投入や排出を必要としない封入式のパチスロ遊技機としたが、これに限られるものではなく、コインや遊技球を用いる遊技機としても良い。
また、第２リール本体２０２ｂ、第１リール本体２０２ａを取り外す際に、着脱位置において接続部２１４から駆動軸２２０を取り外した後、隣接するリールユニット２００と重ならない位置まで移動する際の移動方向は下方向に限られるものではない。
【０１０８】
以上のようなスロットマシンは、筐体（機枠３）内に設けられ前側に開口した収容空間１０２を有する箱状のリールユニット収容部材１０１と、リールユニット収容部材１０１に複数配したリールユニット２００と、を有する変動表示装置１００を備え、変動表示装置１００のリールユニット２００は、各種部材を取り付けるベースとなるリール支持板２０１と、複数の識別情報が外周面に表示されたリール本体２０２と、リール支持板２０１に設けられリール本体２０２を回動させる駆動源（リール用モータ２０３）と、リール本体２０１の回動位相を検出するリール位置検出手段（リール位置検出センサ５６、リール位置検出片２１９）と、駆動源の駆動軸２２０にリール本体２０２を着脱可能に取り付ける固定手段（リールロック２２１）と、から構成し、リールユニット収容部材１０１に対して複数のリールユニット２００を、駆動軸２２０の延在方向に沿って所定幅の間隙部２２２をおいて配したスロットマシンであって、リール位置検出手段は、リール支持板２０１に設けられリール本体２０２の径方向に沿って所定の間隔をおいて対向する検出部２１１を有するリール位置検出センサ５６と、リール本体２０１に設けられリール位置検出センサ５６によって検出されるリール位置検出片２１９と、から構成し、リールユニット２００は、リール支持板２０１がリールユニット収容部材１０１の前方下端部（軸受部１０８）に回動可能に軸着されて、リールユニット収容部材１０１内に収容された収容位置と、リールユニット収容部材１０１の前方に位置する着脱位置とに回動変換可能であって、収容位置では、リール本体２０２の前端部がリールユニット収容部材１０１の前端部よりも前方に突出した位置に配されるとともに、間隙部２２２に前面側を覆う仕切板２１０が配され、着脱位置では、固定手段によるリール本体２０２の固定を解除し、間隙部２２２の幅内でリール本体２０２を駆動軸２２０の延在方向に移動することにより、該リール本体２０２を駆動軸２２０から取り外すとともに、リール位置検出片２１９をリール位置検出センサ５６の検出部２１１の検出可能位置から取り外し、その後、該リール本体２０２を隣接するリールユニット２００と重ならない位置まで移動することでリール本体２０２を取り外し可能に構成している。
【０１０９】
したがって、リールユニット２００は、リールユニット収容部材１０１内に収容された収容位置と、リールユニット収容部材１０１の前方に位置する着脱位置とに回動変換可能であるので、容易にリール本体２０２の着脱作業を行うことができる。
また、収容位置では該リール本体２０２の前端部がリールユニット収容部材１０１の前端部よりも前方に突出した位置に配されるので、遊技機１の前面をなす前面枠２に形成された表示窓部５とリール本体２０２との間隔を狭くすることができ、表示窓部５の前面側から視認できるリール本体２０２の面積が不必要に大きくなる（視認可能な図柄の数が多くなる）ことを防止でき、遊技者の目押しを妨害することを防止することができる。
また、前面枠２の表示窓部５とリール本体２０２との間隔を狭くすることにより、表示窓部５から遊技者に内部を覗かれることを防止できる。
また、収容位置では、間隙部２２２に前面側を覆う仕切板２１０が配されるので、各リール本体２０２の間に形成される間隙部２２２を埋めることができ、遊技機１の内部を表示窓部５から遊技者に内部を覗かれることを防止できる。
【０１１０】
また、着脱位置では、固定手段によるリール本体の固定を解除し、間隙部２２２の幅内でリール本体２０２を駆動軸２２０の延在方向に移動することにより、該リール本体２０２を駆動軸２２０から取り外すとともに、リール位置検出片２１９をリール位置検出センサ５６の検出部２１１の検出可能位置から取り外し、その後、該リール本体を隣接するリールユニット２００と重ならない位置まで移動することでリール本体２０２を取り外し可能としたので、前面枠２の表示窓部５とリール本体２０２との間隔を狭めるようにリール本体２０２の前方をリールユニット収容部材１０１から突出させる状態で配設した場合であっても、容易にリール本体２０２のみを交換することができ、リール本体２０２の交換を行う場合の作業効率を高めることができる。
【０１１１】
次に、図２１を参照して、上述したスロットマシンの第一の変形例について説明する。なお、以下の説明では、上述と同様の構成については、同じ符号を付して説明を省略する。本変形例のスロットマシンは、リール本体２０２の取り外し時に、リール本体２０２に形成された補強部材２１６，２１６，…とリール支持板２０１に設けられた部材（例えばリールバックライト２１２）とが接触しないようにリール本体２０２を所定角度回動するリール位置変更手段を備える。
【０１１２】
上述したように、リール支持板２０１には、リールユニット収容部材１０１に収容された状態における前面側にリール本体２０２を裏面側から照らすリールバックライト２１２が設けられている。このリールバックライト２１２は、リールユニット２００を着脱位置に変換した際に略真下に位置するように配される。
【０１１３】
また、リール本体２０２には、放射状に４本の補強部材２１６，２１６，…が９０度おきに形成されている。この補強部材２１６，２１６，…は、中心と外周面との間の略中央を境にして、外周面側は外周面に対して垂直に形成され、中心側は円筒形のリール本体２０２の内側へ傾斜するように形成された断面凸型となっている。
【０１１４】
そして、リール本体２０２は、リールユニット２００を着脱位置に変換した状態で、駆動軸２２０の延在方向に移動して該駆動軸２２０から取り外した後、下方向に移動して隣接するリールユニット２００と重ならない位置まで移動することで取り外し可能に構成されている。
【０１１５】
このリール本体２０２を下方向に移動させる過程において、略真下に位置するリールバックライト２１２と、中心側が内側へ屈曲した補強部材２１６，２１６，…とが接触するのを防ぐため、リール位置変更手段によってリール本体を所定角度回動させ、補強部材２１６，２１６，…とリールバックライト２１２が重ならない位置に配されるようにしている。
【０１１６】
各リールユニット２００には、操作手段として図示しないリール交換ボタンが設けられおり、このリール交換ボタンを操作することに基づく操作信号はメイン制御装置５０に入力されるようになっている。メイン制御装置５０においては、リール交換ボタンからの入力に基づきリール用モータ２０３を制御し、図２１（ａ）に示すように、補強部材２１６に設けられたリール位置検出片２１９がリール位置検出センサ５６に検出される位置までリール本体２０２を回動するようになっている。そして、図２１（ｂ）に示すように、さらにこの位置から所定角度（本実施形態では２５度）リール本体２０２を回動し、補強部材２１６，２１６，…がリールバックライト２１２を避けた位置に配されるようにする。すなわち、メイン制御装置５０、リール用モータ２０３、リール位置検出センサ５６が補強部材２１６，２１６，…とリール支持板２０１に設けられた部材（例えばリールバックライト２１２）とが重ならないようにリール本体２０２を所定角度回動するリール位置変更手段をなす。
【０１１７】
なお、本実施形態のリールユニット２００では、図１２に示すように、収容位置において、リールバックライト２１２はリール用モータ２０３の前方にあり、リール位置検出センサ５６はリール用モータ２０３の上方にある。ここで、リール用モータ２０３を中心として上方を０度とし、前方を９０度とすれば、収容位置において、リール位置検出センサ５６は略０度の位置にあり、リールバックライト２１２（リールバックライト２１２の周方向の中心）は略９０度の位置あることとなる。
【０１１８】
リールユニット２００は、軸着部２０４の回動軸２０５を中心に収容位置から約１０６度前方向に回動することによって着脱位置に変換されるようになっており、着脱位置に変換した状態では、リール位置検出センサ５６は略１０６度の位置にあり、リールバックライト２１２は略１９６度の位置あることとなる。
【０１１９】
この状態でリール交換ボタンを操作すると、まず、リール位置検出片２１９を備える補強部材２１６がリール位置検出センサ５６に検出される位置までリール本体２０２が回動する。これによって、リール位置検出片２１９を備える補強部材２１６が略１０６度の位置に配されることとなる。よって、ここから所定角度として２５度回動させることで、リール位置検出片２１９を備える補強部材２１６は略１３１度の位置に配され、隣接する補強部材２１６は略２２１度の位置に配されることとなり、略１９６度の位置に配されるリールバックライト２１２を避けるように補強部材２１６，２１６，…が配されるようになる。
【０１２０】
なお、リール位置検出片２１９を一つの補強部材に設けるとしたが、各補強部材２１６，２１６，…に設けるようにしても良い。
また、リール位置検出センサ５６は、上述したような光センサに限られず、補強部材２１６，２１６，…の位置を検出できるものであればなんでも良い。
また、上述した制御における回動角度はあくまでも例示であって、リール支持板２０１上に配される部材の位置や、リール支持板２０１の着脱位置における回動角度、リール本体２０２に形成された補強部材２１６，２１６，…の数や位置などによって、設定する必要がある。
【０１２１】
以上のようなスロットマシンは、リール本体２０２は中心から放射状に形成された補強部材２１６，２１６，…を有し、リール位置検出手段（リール位置検出センサ５６、リール位置検出片２１９）は、リール本体２０２の回動位相を検出することで補強部材２１６，２１６，…の位置を検出可能であり、リール本体２０２の取り外し時に、リール位置検出手段からの情報に基づき、リール支持板２０１上の部材（リールバックライト２１２）と補強部材２１６，２１６，…とが重ならない位置にリール本体２０２を所定角度回動させるリール位置変更手段（メイン制御装置５０、リール用モータ２０３、リール位置検出センサ５６）を備えている。
【０１２２】
したがって、リール本体２０２の取り外し時に、リール位置検出手段からの情報に基づき、リール支持板２０１に配された部材と補強部材２１６，２１６，…とが重ならないようにリール本体２０２を所定角度回動させるリール位置変更手段を備えるので、リール本体２０２を取り外す場合に、リール支持板２０１に配設した各部材にリール本体２０２が引っかかることを防止することができ、リール本体２０２の交換作業の効率を高めることができる。
また、リール本体２０２の着脱持に、リール支持板２０１上に配された部材に対して補強部材２１６，２１６，…が最適な位置に移動するようにでき、リール支持板２０１上に配する部材の位置や大きさの自由度が増す。
【０１２３】
次に、図２２，２３を参照して、上述したスロットマシンの第二の変形例について説明する。なお、以下の説明では、上述と同様の構成については、同じ符号を付して説明を省略する。本変形例のスロットマシンは、リール支持板２０１に隣接して、内部に配線２２５を挿通可能な空間部２２４を備える仕切壁２２３を備えている。
【０１２４】
リールユニット２００には、リール支持板２０１に設けられたリール用モータ２０３や、リールバックライト２１２、リール位置検出センサ５６に対して、制御装置（メイン制御装置５０、演出制御装置６０など）からの情報（コマンド）の送信や、電源ユニット２６から電力の供給を行うための配線２２５が接続されている。この配線２２５は、制御装置などからリールユニット収容部材１０１に形成された開口を通って収容空間１０２内に至り、リールユニット２００に接続するように配されている。また、リールユニット２００は収容位置と着脱位置に変換可能に構成されているが、このような変換を可能とするために、ある程度配線２２５の長さに余裕が持たせてある。
【０１２５】
しかし、リールユニット２００を収容位置に配した場合には、配線がリールユニット収容部材１０１の収容空間１０２内で余ってしまい、着脱位置に変換する際に引っかかることで変換が困難になったり、遊技中にリール本体２０２に絡んだりするなどの不都合が発生する虞がある。そこで、このような不都合を避けるため、リール支持板２０１に隣接して、内部に配線２２５を挿通可能な空間部２２４を備える仕切壁２２３を備え、配線２２５が収容空間１０２内に露出しないようにしている。
【０１２６】
図２２（ａ）（ｂ）に示すように、仕切壁２２３は所定の厚みを有する板状の部材であって、リールユニット収容部材１０１における、リールユニット２００のリール支持板２０１が収容される位置に隣接して設けられている。そして、この仕切壁２２３の内部に、配線２２５を挿通可能な空間部２２４が形成されている。この空間部２２４は、仕切壁２２３の後端部から中央部にかけて形成されており、一端が仕切壁２２３の後端面に開口しているとともに、他端が仕切壁２２３のリール支持板２０１が配される側の板面の略中央に開口している。なお、仕切壁２２３の後端面はリールユニット収容部材１０１の後端面の一部をなすものであり、空間部２２４の後端面の開口はリールユニット収容部材１０１の後方に開口した状態となっている。
【０１２７】
そして、図２２（ｂ）、（ｃ）に示すように、後端面の開口から制御装置に接続した配線２２５が挿入され、リール支持板２０１の配される側の板面の開口から配線の先端が露出しており、その先端にはコネクタ部２２６が設けられている。また、図２３（ａ）に示すように、リール支持板２０１の仕切壁２２３と対向する面にもコネクタ部２２７が設けられており、図２３（ｂ）に示すように、両コネクタ部２２６，２２７を接続することで制御装置とリールユニット２００が接続されるようになっている。
【０１２８】
以上のような構成を有することで、リールユニット収容部材１０１の収容空間１０２内における配線２２５の露出を少なくできる。また配線２２５は、空間部２２４内でその延在方向に移動可能とされており、リールユニット２００が収容位置にある場合には、余った配線２２５が後端面の開口からリールユニット収容部材１０１の後方に排出された状態となる。そして、リールユニット２００を着脱位置に変換した場合に、リールユニット収容部材１０１の後方に排出されていた配線２２５が引き出されるようになっていて、常に必要な量だけ収容空間１０２内に存在するようにされており、収容空間１０２内で配線２２５が絡んだり、引っかかったりすることがない。
【０１２９】
なお、仕切壁２２３はリールユニット収容部材１０１に形成されているとしたが、リール支持板２０１と一体となっていても良い。この場合はリール支持板２０１に配線２２５を挿通可能な空間部２２４が形成されているとも言える。
【０１３０】
また、仕切壁２２３の空間部２２４内に挿通された配線２２５が、付勢手段によって後方側に引っ張られるようにし、配線２２５が常に必要な量だけ収容空間１０２内に存在するようにしても良い。
【０１３１】
以上のようなスロットマシンは、リール支持板２０１に隣接して、内部に配線２２５を挿通可能な空間部２２４を備える仕切壁２２３を配設している。
【０１３２】
したがって、リール支持板２０１に隣接して、内部に配線２２５を挿通可能な空間部２２４を備える仕切壁２２３を配設したので、リール本体２０２の交換などの際に、リールユニット２００を前方に回動させても配線２２５が絡みつくことがなく、かつ、配線２２５を整然と処理することができる。
【０１３３】
なお、本発明は上述したパチスロ遊技機１に限られるものではなく、例えば、コインを用いて遊技を行うスロットマシン、コインではなく遊技球を用いて遊技を行うスロットマシン、その他のスロットマシンにも適用可能である。
【０１３４】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３５】
【図１】本発明に係るスロットマシンの好適な一例としてのパチスロ遊技機の前面側を示す斜視図である。
【図２】前面枠を開放した状態のパチスロ遊技機の前面側を示す斜視図である。
【図３】パチスロ遊技機の主要な制御ブロック図である。
【図４】前面枠を開放した状態のパチスロ遊技機の側部断面図である。
【図５】機枠と変動表示装置の前面側を示す斜視図である。
【図６】変動表示装置の前面側を示す斜視図である。
【図７】変動表示装置のメイン制御装置を取り付ける部分を示す部分断面図であって、（ａ）メイン制御装置を取り付けた状態を示す図、（ｂ）メイン制御装置を取り外した状態を示す図。
【図８】リールユニットの軸着部分を示す拡大斜視図である。
【図９】リールユニットの軸着部分を示す拡大斜視図である。
【図１０】リールユニットの前面側における仕切板の取り付け部分を示す斜視図である。
【図１１】変動表示装置の正面図であって、（ａ）ベース押え部を固定した状態を示す図、（ｂ）ベース押え部の固定を解除し、上方に回動させた状態を示す図である。
【図１２】変動表示装置の前面側を示す図であって、仕切板を取り外した状態を示す斜視図である。
【図１３】右側のリールユニットを着脱位置に変換した状態を示す斜視図である。
【図１４】リールユニットの軸着部分を示す断面図であって、（ａ）収容位置にある状態を示す図、（ｂ）着脱位置にある状態を示す図である。
【図１５】右側のリールユニットからリール本体を取り外した状態を示す斜視図である。
【図１６】中央のリールユニットを着脱位置に変換した状態を示す斜視図である。
【図１７】中央のリールユニットのリール本体を取り外す過程を示す図であって、リール取外規制部に当接した状態を示す上面図である。
【図１８】図１７の状態に引き続き、リール本体を下方に移動させた状態を示す側面図である。
【図１９】図１８の状態に引き続き、リール本体を取り外した状態を示す斜視図である。
【図２０】着脱位置にあるリールユニットを示す斜視図である。
【図２１】第一の変形例におけるリール位置変更手段によるリールの回動を示す側面図であって、（ａ）リール位置検出センサがリール位置検出片を検出した状態を示す図、（ｂ）（ａ）の状態から所定角度回動させた状態を示す図である。
【図２２】（ａ）第二の変形例にかかるリールユニット収容部材の前面側を示す斜視図である。（ｂ）仕切壁の斜視図である。（ｃ）（ａ）に示したＣ−Ｃ断面を示す図である。
【図２３】（ａ）第二の変形例にかかる変動表示装置の前面側を示す斜視図であって、（ａ）リール支持板の配線の接続部分を示す斜視図、（ｂ）配線を接続した状態を示す斜視図である。
【符号の説明】
【０１３６】
１      パチスロ遊技機
３      機枠（筐体）
５０    メイン制御装置（リール位置変更手段）
５６    リール位置検出センサ（リール位置検出手段、リール位置変更手段）
１００  変動表示装置
１０１  リールユニット収容部材
１０２  収容空間
１０８  軸受部（前方下端部）
２００  リールユニット
２０１  リール支持板
２０２  リール本体
２０３  リール用モータ（駆動源、リール位置変更手段）
２１０  仕切板
２１１  検出部
２１６  補強部材
２１９  リール位置検出片（リール位置検出手段）
２２０  駆動軸
２２１  リールロック（固定手段）
２２２  間隙部
２２３  仕切壁
２２４  空間部
２２５  配線
【図１】
2007159954.tif 000003
【図２】
2007159954.tif 000004
【図３】
2007159954.tif 000005
【図４】
2007159954.tif 000006
【図５】
2007159954.tif 000007
【図６】
2007159954.tif 000008
【図７】
2007159954.tif 000009
【図８】
2007159954.tif 000010
【図９】
2007159954.tif 000011
【図１０】
2007159954.tif 000012
【図１１】
2007159954.tif 000013
【図１２】
2007159954.tif 000014
【図１３】
2007159954.tif 000015
【図１４】
2007159954.tif 000016
【図１５】
2007159954.tif 000017
【図１６】
2007159954.tif 000018
【図１７】
2007159954.tif 000019
【図１８】
2007159954.tif 000020
【図１９】
2007159954.tif 000021
【図２０】
2007159954.tif 000022
【図２１】
2007159954.tif 000023
【図２２】
2007159954.tif 000024
【図２３】
2007159954.tif 000025